(57)【特許請求の範囲】
【請求項１】
傾斜地に、ますの壁体に連結される溝を構築するために用いられる溝構造体用セグメントであって、前記傾斜地に支持するための支持部材を挿設する穴と、前記穴に連続し、前記支持部材が挿通される孔を備え、前記セグメントの前記傾斜地に隣接する面に突出するように設けられるセグメント支持部とを備え、前記面が隣接する傾斜地には前記セグメント支持部のみが埋設される、溝構造体用セグメント。
【請求項２】
傾斜地に設置され、ますの壁体に連結され、溝構造体用セグメントにより構築される溝構造体であって、前記傾斜地に支持するための支持部材を挿設する穴と、前記穴に連続し、前記支持部材が挿通される孔を備え、前記セグメントの前記傾斜地に隣接する面に突出するように設けられる溝構造体支持部とを備え、前記面が隣接する傾斜地には前記溝構造体支持部のみが埋設される、溝構造体。
【請求項３】
前記溝構造体は、Ｕ字溝、Ｖ字溝、Ｌ形溝、断面が矩形の溝構造体、断面が半円形の溝構造体または断面が半楕円形の溝構造体のいずれかから選択される、請求項２に記載の溝構造体。
【請求項４】
ますの壁体に連結される溝を構築するために用いられる溝構造体用セグメントを傾斜地に設置する方法であって、
穴と、該穴に連続し、前記支持部材が挿通される孔を備え、前記セグメントの前記傾斜地に隣接する面に突出するように設けられるセグメント支持部とを備えるセグメントを前記ますに連結させるとともに、前記傾斜地に溝を構築するように連結して前記面が隣接する傾斜地に前記セグメント支持部のみが埋設されるように設置し、前記穴および前記孔に支持部材を挿設することにより前記穴と該穴に連続するセグメント支持部とを備えるセグメントを前記傾斜地に支持する、溝構造体用セグメントの設置方法。
【請求項５】
前記支持部材は、アンカーである、請求項４に記載の溝構造体用セグメントの設置方法。
【請求項６】
前記支持部材が挿設された前記穴は、さらに止水材を用いてシールされることを特徴とする、請求項４または５に記載の溝構造体用セグメントの設置方法。
【請求項７】
ますの壁体に連結される溝構造体を傾斜地に設置する方法であって、
穴と、該穴に連続し、前記支持部材が挿通される孔を備え、前記セグメントの前記傾斜地に隣接する面に突出するように設けられる溝構造体支持部とを備える溝構造体を前記ますに連結させるとともに、前記面が隣接する傾斜地に前記溝構造体支持部のみが埋設されるように設置し、前記穴および前記孔に支持部材を挿設することにより前記穴と該穴に連続する溝構造体支持部とを備える溝構造体を前記傾斜地に支持する、溝構造体の設置方法。
【請求項８】
前記溝構造体は、Ｕ字溝、Ｖ字溝、Ｌ形溝、断面が矩形の溝構造体、断面が半円形の溝構造体または断面が半楕円形の溝構造体のいずれかから選択される、請求項７に記載の溝構造体の設置方法。
【請求項９】
前記支持部材は、アンカーである、請求項７または８に記載の溝構造体の設置方法。
【請求項１０】
前記支持部材を挿設した前記穴は、さらに止水材を用いてシールされることを特徴とする、請求項７〜９のいずれか１項に記載の溝構造体の設置方法。
【発明の詳細な説明】
【０００１】
【発明の属する技術分野】
本発明は、溝を構築するために用いられる溝構造体用セグメント、溝構造体、該溝構造体用セグメントおよび該溝構造体を傾斜地に設置する方法に関し、より詳細には、溝構造体用セグメントにより構築された溝または溝構造体と連結したますが溝構造体用セグメントまたは溝構造体の荷重によりひび割れしないように、傾斜地に支持して設置することができる構造の溝構造体用セグメントおよび溝構造体に関し、また、該溝構造体用セグメントおよび該溝構造体を傾斜地に支持するように設置する方法に関する。
【０００２】
【従来の技術】
溝構造体により構築される側溝から流れてくる雨水や排水を受けるためにますが設けられていて、ますに集められた雨水や排水は、下水管へと送られるようになっている。このますに連結される溝構造体が傾斜地に設置される場合においては、溝構造体が傾斜地の斜面をすべり落ちようとする力が作用することによって、溝構造体の荷重がますにかかり、ますにひび割れが生じやすいといった問題があった。従来、こうした傾斜地に設置される溝構造体においては、溝構造体底面などに突起などを設けて、傾斜地をすべらないように抵抗を大きくすることでますに対して荷重がかからないようにされている。
【０００３】
しかしながら、溝構造体底面などに突起を設けただけでは上述したすべりに対する抵抗が十分にとれないために、ひび割れを生じさせない程度まで十分にますにかかる溝構造体の荷重を軽減させることはできなかった。
【０００４】
【発明が解決しようとする課題】
本発明は、前述の問題を解決するためになされたものであり、溝構造体用セグメントによって構築された溝または溝構造体の荷重によりますにひび割れが生じないように支持部材を用いて傾斜地に支持することが可能な溝構造体用セグメントおよび溝構造体を提供するとともに、該溝構造体用セグメントおよび該溝構造体を支持するように設置する方法を提供することを目的とする。
【０００５】
【課題を解決するための手段】
本発明の上記目的は、本発明の溝構造体用セグメント、溝構造体、該溝構造体用セグメントおよび該溝構造体の設置方法により達成される。
【０００６】
すなわち、本発明の請求項１の発明によれば、傾斜地に溝を構築するために用いられるセグメントであって、前記傾斜地に支持するための支持部材を挿設する穴と、前記穴に連続するセグメント支持部とを備える溝構造体用セグメントが提供される。
【０００７】
本発明の請求項２の発明によれば、傾斜地に設置され、溝構造体用セグメントにより構築される溝構造体であって、前記傾斜地に支持するための支持部材を挿設する穴と、前記穴に連続する溝構造体支持部とを備える溝構造体が提供される。
【０００８】
本発明の請求項３の発明によれば、前記溝構造体は、Ｕ字溝、Ｖ字溝、Ｌ形溝、断面が矩形の溝構造体、断面が半円形の溝構造体または断面が半楕円形の溝構造体のいずれかから選択される溝構造体が提供される。
【０００９】
本発明の請求項４の発明によれば、ますに連結される溝を構築するために用いられる溝構造体用セグメントを傾斜地に設置する方法であって、穴と該穴に連続するセグメント支持部とを備えるセグメントを前記ますに連結させるとともに前記傾斜地に溝を構築するように連結して設置し、前記穴に支持部材を挿設することにより前記穴と該穴に連続するセグメント支持部とを備えるセグメントを前記傾斜地に支持する溝構造体用セグメントの設置方法が提供される。
【００１０】
本発明の請求項５の発明によれば、前記支持部材は、アンカーである溝構造体用セグメントの設置方法が提供される。
【００１１】
本発明の請求項６の発明によれば、前記支持部材が挿設された前記穴は、さらに止水材を用いてシールされることを特徴とする溝構造体用セグメントの設置方法が提供される。
【００１２】
本発明の請求項７の発明によれば、ますに連結される溝構造体を傾斜地に設置する方法であって、穴と該穴に連続する溝構造体支持部とを備える溝構造体を前記ますに連結させるとともに前記傾斜地に設置し、前記穴に支持部材を挿設することにより前記穴と該穴に連続する溝構造体支持部とを備える溝構造体を前記傾斜地に支持する溝構造体の設置方法が提供される。
【００１３】
本発明の請求項８の発明によれば、前記溝構造体は、Ｕ字溝、Ｖ字溝、Ｌ形溝、断面が矩形の溝構造体、断面が半円形の溝構造体または断面が半楕円形の溝構造体のいずれかから選択される溝構造体の設置方法が提供される。
【００１４】
本発明の請求項９の発明によれば、前記支持部材は、アンカーである溝構造体の設置方法が提供される。
【００１５】
本発明の請求項１０の発明によれば、前記支持部材を挿設した前記穴は、さらに止水材を用いてシールされることを特徴とする溝構造体の設置方法が提供される。
【００１６】
【発明の実施の形態】
以下、本発明を図面を参照して詳細に説明する。本発明の溝構造体用セグメントを用いて構築される溝は、Ｕ字溝、Ｖ字溝、Ｌ形溝、断面が矩形、半円形、半楕円形などいかなる形状の溝であっても良い。図１は、本発明の溝構造体用セグメントを用いて構築された断面が半円形の溝を示した図である。図１に示す溝１は、本発明の穴と該穴に連続するセグメント支持部を備える溝構造体用セグメントと、穴もセグメント支持部も備えられていない溝構造体用セグメントとを連結することにより構築されている。本発明においては、すべてに本発明の穴と該穴に連続するセグメント支持部を備える溝構造体用セグメントを用いて溝１が構築されていても良い。以下、本発明の溝構造体用セグメントをセグメント２とし、穴もセグメント支持部も備えていない溝構造体用セグメントをセグメント３として説明する。
【００１７】
図１に示す溝１には、溝１の底部４および側部５に穴６を備えるセグメント２が連結されている。図１に示すセグメント２は、穴６のほか、傾斜地に隣接する面に穴６に連続するセグメント支持部７を備えている。また、セグメント２は、穴６に挿設された支持部材によってセグメント支持部７を支持することにより傾斜地の斜面をすべり落ちないようにすることができるようになっている。図１に示す溝１は、複数のセグメント２が連結されて構築されていて、セグメント２を傾斜地に支持することにより支持することができるようになっている。
【００１８】
本発明においてセグメント２に設けられた穴６は、支持部材を挿設することがでるのであればセグメント２のいかなる位置に設けられていても良い。また、穴６の大きさは、使用する支持部材の大きさにより決定することができる。さらに、穴６に連続するセグメント支持部７は、セグメント２またはセグメント２に連結されるセグメント３を支持部材に支持することができればいかなる大きさまたは形状とされていても良い。また、溝１を傾斜地に支持することができるのであればいかなる数のセグメント２を連結して溝１を構築しても良い。
【００１９】
また、図１に示す穴６と挿設する支持部材との間には、隙間が生じていて、セグメント２上を雨水や排水などが流れる場合には、この隙間から傾斜地の地中へと水がしみ込んでいくこととなる。本発明においては、隙間から水をしみ込ませないように止水材を用いて隙間をシールすることができる。本発明に用いられる止水材としては、隙間を充填する充填材としてモルタルや穴６の大きさに合わせて作成されたキャップなどを用いることができる。また、本発明においては、セグメント２上を流れる雨水や排水などを止水することができるのであれば、いかなる材質または形状の止水材でも用いることができる。
【００２０】
図２は、ますと連結するように傾斜地に溝構造体用セグメントにより溝を構築した断面を示した図である。図２を用いて溝構造体用セグメントの設置方法について説明する。図２に示す傾斜地８は、掘り込んで人工的に構築されたものでも良いし、山間部などの傾斜を用いたものでも良い。また、傾斜地８に沿った平坦部にます９が設けられている。図２に示すます９は、溝１と連結されていて溝１を通して流れる雨水や排水などを集めるために用いられる。一般には、道路などの側溝を流れる雨水や排水、家庭から排出される排水を集めるために用いられている。ます９に集められた雨水や排水は、図示しない管を通して図示しない下水管へと送られる。
【００２１】
図２に示すます９は、底部がコンクリートを打設することにより構築され、壁体、縁石、ふたなどは、市販のコンクリート製のものを用いて構築される。また、ます９は、雨水などを受けるものの場合、底部に砂だめが設けられ、汚水などの排水に用いる場合においては、固形分が堆積しないように砂だめや土だめを作らないようにされている。
【００２２】
図２に示す溝１は、セグメント２およびセグメント３により構築されていて、一端がます９の壁体１０に連結され、他端は、傾斜地８の上部方向へ連続している。図２に示す実施の形態では、所定間隔においてセグメント２が連結されるように溝１が構築されている。図２に示すセグメント２およびセグメント３は、傾斜地８の地盤上または溝１を構築するように掘削した地中に設置して溝１を構築することができる。セグメント２およびセグメント３を互いに連結するには、ボルトやナットなどの今まで知られたいかなる継手構造体を用いて連結することができる。また、図２に示すようにセグメント２の穴に支持部材１１を挿設することにより、セグメント２およびセグメント３によって構築された溝１が傾斜地８の斜面をすべり落ちないようにされている。
【００２３】
図２に示す実施の形態では、支持部材１１として鋼製のアンカーが用いられている。アンカーは、セグメント２の穴６を通して傾斜地８に打込まれることにより挿設される。アンカーが挿設されたセグメント２は、アンカーがすべり止めとして作用することによってセグメント２がすべり落ちないようになっている。また、図２に示すアンカーは、セグメント２より傾斜地８の上部方向に連結されたセグメント３も支持している。このように支持することにより、ます９にかかる溝１の荷重を軽減させることができる。本発明においては、セグメント２およびセグメント３によって構築された溝１が傾斜地８をすべり落ちないように支持することができるものであれば、アンカー以外に鋼製の棒や平板などいかなるものでも用いることができる。また、溝１を構築する際、必要な数のセグメント２を用いて適切な位置に連結して構築することができる。さらに、傾斜地８の土質が柔らかい場合には、予め所定の位置にアンカーフレームを埋設しておき、アンカーボルトを用いて締結するようにしても良い。
【００２４】
図２に示す溝１は、ます９の壁体１０から傾斜地８の上部方向へセグメント２またはセグメント３を連結させ、セグメント２に支持部材１１を挿設しながら構築することもできるし、複数の所定長さの溝１を構築しておいて連結させることにより構築することもできるし、傾斜地８に支持部材１１を所定間隔に設置した後、セグメント２またはセグメント３を構築することもできる。
【００２５】
以下、溝構造体用セグメントにより溝構造体としてＵ字溝を構築することを例に取り、詳細に説明する。図３は、本発明のＵ字溝を構築するために用いられるＵ字溝セグメント１２を示した図である。図３に示すＵ字溝セグメント１２は、断面がＵ字状とされていて、底部１３に穴１４と、傾斜地８に接する底面１５にセグメント支持部１６とを備えている。本発明においては、穴１４に挿設される支持部材によって適切に支持できるのであれば穴１４の位置はいかなる位置とされていても良いが、施工上において底部１３に設けられるのが好ましい。また、穴１４の大きさは、使用する支持部材の大きさなどにより決定することができる。本発明においては、このセグメント支持部１６は、Ｕ字溝セグメント１２を支持部材に適切に支持することができればいかなる大きさまたは形状とされていても良い。また、図３に示すＵ字溝セグメント１２には、嵌合部１７が設けられ、嵌め合わせて設置することができるようになっている。嵌合部１７は、適切に嵌め合わせることができるのであれば、図３に示す以外にいかなる形状とされていても良い。
【００２６】
図４は、ますと連結するように傾斜地に上述したＵ字溝セグメントを列設して構築したＵ字溝の断面を示した図である。図４を用いて傾斜地にＵ字溝を設置する方法について説明する。図４では、Ｕ字溝セグメントを列設して溝を構築する場合に、本発明の穴と穴に連続するセグメント支持部とを備えるＵ字溝セグメントと、穴もセグメント支持部も備えていないＵ字溝セグメントとが用いられている。図４においては、本発明の穴と穴に連続するセグメント支持部とを備えるＵ字溝セグメントがＵ字溝セグメント１２として示され、穴もＵ字溝支持部も備えていないＵ字溝セグメントがＵ字溝セグメント１８として示されている。
【００２７】
図４に示す実施の形態では、傾斜地８にＵ字溝が収容できる程度の溝を掘り、ます９から傾斜地８の斜面に向けて上部方向へＵ字溝セグメント１２およびＵ字溝セグメント１８を列設してＵ字溝を構築している。図４に示す実施の形態では、小さくされたＵ字溝セグメント１８ａとます９とが連結され、Ｕ字溝セグメント１２とＵ字溝セグメント１８とが交互に設置されている。Ｕ字溝セグメント１２を設置する場合においては、穴１４に支持部材１９を挿設することにより傾斜地８をＵ字溝がすべり落ちないように支持される。図４に示す支持部材１９としては、上述したアンカーを挙げることができるが、アンカー以外に傾斜地８に支持することができるものであればいかなるものでも用いることができる。
【００２８】
また、図４に示す支持部材１９は、Ｕ字溝セグメント１２と、Ｕ字溝セグメント１２の上部方向に設置されたＵ字溝セグメント１８とを支持している。このように支持することにより、ます９にかかるＵ字溝セグメント１２およびＵ字溝セグメント１８により構築したＵ字溝の荷重を軽減させることができる。図４においては、Ｕ字溝セグメント１２とＵ字溝セグメント１８とが交互に設置されているが、本発明においては、支持部材１９により支持できる数のＵ字溝セグメント１８をＵ字溝セグメント１２の上部方向に設けることができる。Ｕ字溝セグメント１２と、Ｕ字溝セグメント１８を２つ支持することができる強度を有する支持部材１９を用いるのであれば、Ｕ字溝セグメント１２の上部方向にＵ字溝セグメント１８を２つ設置し、さらにその上にＵ字溝セグメント１２を設けるといったようにして設置してＵ字溝を構築することも可能である。また、本発明においては、Ｕ字溝セグメント１２をすべてに用いてＵ字溝を構築しても良い。
【００２９】
図５は、本発明のＵ字溝セグメント１２およびＵ字溝セグメント１８を設置するところを詳細に示した図である。図５に示す実施の形態では、Ｕ字溝セグメント１２が傾斜地８に設置され、アンカーなどの支持部材１９が底部１３に設けられた穴１４に挿設されている。挿設された支持部材１９は、傾斜地８に固定されるとともにＵ字溝セグメント１２を支持している。また、Ｕ字溝セグメント１２を支持するためにＵ字溝セグメント１２には、セグメント支持部１６が備えられている。さらに、挿設した支持部材１９と穴１４との間には、隙間が生じていて、Ｕ字溝セグメント１２上を雨水や排水などが流れる場合には、この隙間から傾斜地８の地中へと水がしみ込んでいくこととなる。図５においては、隙間から水をしみ込ませないように止水材２０が用いられている。本発明に用いられる止水材２０としては、上述した隙間を充填する充填材としてモルタルや穴１４の大きさに合わせて作成されたキャップなどを用いることができる。
【００３０】
また、図５においては、Ｕ字溝セグメント１２を設置した後にＵ字溝セグメント１８が設置されている。Ｕ字溝セグメント１８の嵌合部１７は、Ｕ字溝セグメント１２の端部２１とを嵌め合わせることができるようになっている。Ｕ字溝セグメント１８の嵌合部１７とＵ字溝セグメント１２の端部２１との嵌め合わせにおいては、コンクリートにより打ち継ぎしたり、充填材やシール材、接着剤などを用いて接合することができる。また、Ｕ字溝セグメント１２にも同様の嵌合部１７が設けられていて、Ｕ字溝セグメント１２とＵ字溝セグメント１８とを嵌め合わせて連結してＵ字溝を構築することができるようになっている。
【００３１】
これまで本発明を図面に示した実施の形態に基づいて説明してきたが、本発明は上述した実施の形態に限定されるものではない。例えば、溝構造体用セグメントにおいては、溝構造体用セグメントを連結させていかなる形状の溝を構築しても良いし、継手構造体や嵌合できるようにされていてシール材や接着剤などを用いて連結する以外に、いかなるものまたは形状にして連結されるようにしていても良い。また、溝構造体においては、いかなる数の溝構造体用セグメントを用いて構築しても良いし、Ｕ字溝に限らず、Ｖ字溝、Ｌ形溝、断面が矩形、断面が半円形、断面が半楕円などいかなる形状とすることもできる。
【００３２】
【発明の効果】
上述したように、本発明の溝構造体用セグメントおよび該溝構造体用セグメントの設置方法を用いることにより、ますと連結し、傾斜地に設置される溝構造体用セグメントにより構築された溝を支持部材を用いて傾斜地に支持することができ、ますにかかる荷重を軽減させることができる。また、荷重を軽減させることにより、ますにひび割れが生じることを無くすことができる。
【００３３】
また、本発明の溝構造体および該溝構造体の設置方法を用いることにより、ますと連結し、傾斜地に設置される溝構造体を支持部材を用いて傾斜地に支持することができ、ますにかかる荷重を軽減させることができる。これもまた、荷重を軽減させることにより、ますにひび割れが生じることを無くすことができる。
【図面の簡単な説明】
【図１】本発明の溝構造体用セグメントを用いて構築した溝を示した図。
【図２】本発明の溝構造体用セグメントの設置方法において、ますと連結するように溝構造体用セグメントにより構築された溝を傾斜地に設置した断面を示した図。
【図３】本発明の溝構造体としてＵ字溝を構築するためのＵ字溝セグメントを示した図。
【図４】本発明の溝構造体の設置方法において、ますと連結するようにＵ字溝セグメントを傾斜地に列設してＵ字溝を構築した断面を示した図。
【図５】本発明の溝構造体の設置方法において用いられるＵ字溝セグメントと本発明の溝構造体用セグメントとを連結して設置するところを詳細に示した図。
【符号の説明】
１…溝
２、３…セグメント
４…底部
５…側部
６…穴
７…セグメント支持部
８…傾斜地
９…ます
１０…壁体
１１…支持部材
１２…Ｕ字溝セグメント
１３…底部
１４…穴
１５…底面
１６…セグメント支持部
１７…嵌合部
１８、１８ａ…Ｕ字溝セグメント
１９…支持部材
２０…止水材
２１…端部
【図１】
0003594561.tif 000002
【図２】
0003594561.tif 000003
【図３】
0003594561.tif 000004
【図４】
0003594561.tif 000005
【図５】
0003594561.tif 000006